(57)【要約】【課題】  足のサイズが異なる着用者にも容易に対応でき、かつ、歩行時に取付部に力が掛かり脹脛に痛みや肌ずれ等が生じることを防止した短下肢装具を提供すること。【解決手段】  着用者の足のサイズに合わせて形成した足板１と、当該足板１を収納し、踝の上部まで延びる耳部を有する中敷２と、当該中敷２を配置でき、踝の上部及び足の甲に取付部３１，３５を有するフレーム３とから構成した短下肢装具である。【選択図】  図４
0003128249.tif 000002
【実用新案登録請求の範囲】
【請求項１】
着用者の足のサイズに合わせて形成した足板と、
該足板を収納し踝の上部まで延びる耳部を有する中敷と、
該中敷を載置する足底部を有しかつ踝の上部および足の甲を固定するための固定部を有するフレームと、
から構成したことを特徴とする短下肢装具。
【請求項２】
前記足板は、硬質樹脂又は厚紙で形成されていることを特徴とする請求項１記載の短下肢装具。
【請求項３】
前記中敷は、タオル地で形成され、内部にウレタン又はスポンジが挿入されて形成されていることを特徴とする請求項１記載の短下肢装具。
【請求項４】
前記フレームの足底部が、踵から最長縁端部まで１４ｃｍの長さで形成されていることを特徴とする請求項１記載の短下肢装具。
【請求項５】
前記フレームの足底部が、踵から最長縁端部まで８ｃｍの長さで形成されていることを特徴とする請求項１記載の短下肢装具。
【請求項６】
前記踝の固定部および足底部には、面ファスナが設けられていることを特徴とする請求項１乃至請求項５のいずれか記載の短下肢装具。
【考案の詳細な説明】
【技術分野】
【０００１】
本考案は、下肢全体の麻痺や靭帯損傷等で足の機能を失った者の歩行補助（矯正器具）として用いる短下肢装具の改良に関するものである。
【背景技術】
【０００２】
下肢全体の麻痺や靭帯損傷等で足の機能を失った場合には、足を持ち上げてもつま先を持ち上げる筋肉が麻痺等しているため、つま先が垂れ下がり歩行が困難となる。このような場合に、踵からつま先までを下肢と一体化させ、歩行補助または矯正する装具として、短下肢装具が提案されている。
【０００３】
この短下肢装具は、一般に、脹脛等に固定するための面ファスナを有する取付部から下方に延在させたフレームに、着用者の足のサイズに合わせて形成した足板がフレームと一体に設けられて構成されている。
【特許文献１】特開２００１−５１０３７７
【特許文献２】特開２００６−５０５３４４
【考案の開示】
【考案が解決しようとする課題】
【０００４】
しかしながら、フレームに対して一体的に設けられる足板は、上述のように、着用者の足のサイズに合わせて装具全体が形成されるものであるため、１つ１つの短下肢装具の製造コストが高くなるという問題があり、また、足板が足のサイズに合致しなくなってしまった場合には、歩行時の踵からつま先への体重移動の際に脹脛に位置した固定部に力が掛かり、脹脛等に痛みや肌ずれ等が生じる問題もあった。
【０００５】
本考案は前記した問題点を解決せんとするもので、その目的とするところは、既定の大きさのフレームで、足板のサイズのみを調整することで着用者の足のサイズに容易に対応でき、足板が足のサイズに合致することから歩行時に脹脛に位置する固定部に力が掛かり脹脛に痛みや肌ずれ等が生じることを防止した短下肢装具を提供せんとするものである。
【課題を解決するための手段】
【０００６】
本考案の短下肢装具は前記した目的を達成せんとするもので、請求項１の手段は、着用者の足のサイズに合わせて形成した足板と、該足板を収納し踝の上部まで延びる耳部を有する中敷と、該中敷を配置できる足底部を有しかつ踝の上部および足の甲を固定するための固定部を有するフレームとから構成したものである。
【０００７】
請求項２の手段は、前記した請求項１において、前記足板が、硬質樹脂または厚紙で形成されていることが好ましく、請求項３の手段は、前記した請求項１において、前記中敷が、タオル地で形成され、内部にウレタンまたはスポンジが挿入されて形成されていることが好ましいものである。
【０００８】
請求項４の手段は、前記した請求項１において、前記フレームの足底部が、大人用の場合には踵から最長縁端部まで１４センチメートルの長さで形成され、また、請求項５の手段は、前記した請求項１において、前記フレームの足底部が、子供用の場合には踵から最長縁端部まで８ｃｍの長さで形成され、請求項６の手段は、前記した請求項１ないし５において、前記踝の固定部および足底部には、面ファスナが設けられている。
【考案の効果】
【０００９】
以上のような構成からなる本考案に係る短下肢装具によれば、足のサイズが異なる着用者にも足板のサイズを選択するだけで容易に対応でき、かつ、足のサイズにあった足板となるので歩行時に脹脛に位置する固定部に力が掛かり痛みや肌ずれ等が生じることを防止することができる。
【考案を実施するための最良の形態】
【００１０】
本考案は、着用者の足のサイズに合わせて形成した足板と、当該足板を収納し、踝の上部まで延びる耳部を有する中敷と、当該中敷を装着でき踝の上部及び足の甲に固定部を有するフレームとから構成した。
【００１１】
以下では、本考案にかかる短下肢装具を図面に基づいて具体的に説明する。
ここで、図１は足板の平面図であり、図２は中敷への足板の装着状態を示す説明図であり、図３はフレームの斜視図であり、図４は本考案にかかる短下肢装具の斜視図である。
【００１２】
図１における符号１は、足板を示している。この足板１は、着用者の足のサイズに合わせて硬質樹脂又は厚紙にて形成されるものであって、着用者の下肢の症状や使用状況によって剛性及び靭性を有するものを適宜採用することができる。
【００１３】
足板１として柔らかい材質を採用した場合には、身に付けた具合が快適となり、ゆっくりとしたペースから標準的なペースで小さな歩幅の歩行に適している。また、硬い材質を採用した場合には、足首をしっかり固定することができ、骨折、足関節部の損傷又は変形の症状を有する着用者に適している。さらに、柔らかい材質・硬い材質の中間の材質を用いた場合には、早いペースの歩行や長時間の起立にも耐えられ、活発な着用者が屋内及び屋外で使用するのに適している。
【００１４】
図２における符号２は、中敷を示している。この中敷２は肌に直接触れるものであるため、タオル地等の生地で形成されると共に、内部にウレタン又はスポンジが収納されている。また、中敷２は足板１を収納する収納部２１を内部に有すると共に、左右両側に踝上部まで延びる耳部２２，２３を有している。この耳部２２，２３を設けることにより、後述のフレームに装着する際に中敷が固定できると共に、この固定部が直接肌に触れることを防止することができる。
【００１５】
図３における符号３は、フレームを示している。このフレーム３は、プラスチック等の樹脂からなり、その上部に固定部３１を有している。この固定部３１には面ファスナ３１ａが設けられ、フレーム３を踝上部に固定できるようになっている。なお、面ファスナ３１ａには、直接下肢に接触することを防止するための保護布３１ｂが設けられている。また、固定部３１は、その下方に延在するサポート部３２，３３を介して足底部３４に連結されている。
【００１６】
足底部３４は、装着時に足の甲が位置する部分が固定部３５となっており、この固定部３５には面ファスナ３５ａが設けられ、フレーム３を足の甲で固定できるようになっている。なお、面ファスナ３５ａには、直接下肢に接触することを防止するための保護布（図示せず）が設けられていることが好ましい。
【００１７】
また、足底部３４は、踵から最長縁端部まで１４ｃｍの長さで形成されている。これは足の大きさが２４ｃｍの比較的小さな足であって、装着時に踵から中足骨の先端部分（基節骨の手前）までに相当する。これは、足底部が基節骨まであると、その剛性から歩行時に脹脛に位置する固定部に力が掛かり痛みや肌ずれ等が生じることになる。
【００１８】
また、足底部が中足骨の後ろ（踵側の内側楔状骨）までしかないと、足を支える機能が働かない。したがって、中足骨に足底部３４の縁端が位置することが条件となり、足底部３４が、踵から最長縁端部まで１４ｃｍの長さで形成されている場合には足の大きさが２８ｃｍの比較的大きな足でもその条件を満たすことになる。
【００１９】
そこで、上述のサイズ調節可能な足板１と共に用いることにより、足のサイズの異なる装着者（本例では足の大きさが２４ｃｍから２８ｃｍ）にも対応できると共に、歩行時の踵からつま先までの体重移動が無理なく行える。さらに、足底部３４の両サイドにはせり上がり部３４ａが設けられ、装着時の横方向への足のズレを防止している。
【００２０】
次に、上述の各構成部材を用いて、本考案にかかる短下肢装具の組み立て状態について図４を用いて説明する。
まず、装着者の足のサイズに合わせて形成した足板１を用意し、この足板１を中敷２の収納部２１に収納する。この際、足板１は、下肢の症状や使用状況に応じてその材質を適宜採用することができる。
【００２１】
そして、中敷２をフレーム３の足底部３４上に載置すると共に、サポート部３２，３３に沿わせて中敷２の耳部２２，２３を配置することにより、短下肢装具の組み立てが完了する。なお、中敷２はフレーム３の足底部３４とフレーム３のサポート部３２，３３と部分的に面ファスナによって貼着固定される。
【００２２】
次に、下肢への装着は、固定部３１，３５の面ファスナ３１ａ，３５ａを外し、踵を中敷２の踵位置に合わせ、中敷２の耳部２２，２３（フレーム３のサポート部３２，３３）に足を沿わせる。そして、固定部３１の面ファスナ３１ａにて踝上部に固定すると共に、固定部３５の面ファスナ３５ａにて足の甲部分に固定する。これにより、短下肢装具の下肢への装着が完了する。なお、短下肢装具を下肢に装着した状態で通常の靴を履くことができる。
【００２３】
このように、足板１とフレーム３とを別構成とし、足板１を鋏などで裁断して装着者の足のサイズに合致させることができることから、歩行時の踵からつま先までの体重移動が無理なく行えると共に、固定部３１の面ファスナ３１ａが下肢に当たって痛みや肌ずれが生ずることを防止することができる。
【００２４】
また、耳部２２，２３を設けることにより、フレーム３の固定部３１が直接肌に触れることを防止することができる。さらに、足板１は、中敷２の収納部２１に収納する構成であるため、着用者の下肢の症状や使用状況によって剛性及び靭性を有するものを適宜採用することができる。
【００２５】
また、本例は、足の大きさが２４cmから２８cm程度の男性を対象としたフレーム３を基本としたが、子供を対象とする場合には子供の足の大きさを基本として、例えばフレームの３の足底部３４を踵から最長縁端部まで８ｃｍの長さで形成し、足板および中敷を適宜構成すればよい。
【図面の簡単な説明】
【００２６】
【図１】足板の平面図である。
【図２】中敷への足板の装着状態を示す説明図である。
【図３】フレームの斜視図である。
【図４】本考案にかかる短下肢装具の斜視図である。
【符号の説明】
【００２７】
１      足板
２      中敷
２１    収納部
２２    耳部
２３    耳部
３      フレーム
３１    固定部
３１ａ  面ファスナ
３１ｂ  保護布
３２    サポート部
３３    サポート部
３４    足底部
３４ａ  せり上がり部
３５    固定部
３５ａ  面ファスナ
【図１】
0003128249.tif 000003
【図２】
0003128249.tif 000004
【図３】
0003128249.tif 000005
【図４】
0003128249.tif 000006